(57)【要約】【課題】  本発明は、操作者が所望の監視画面を容易に素早く再表示することができる監視装置、及び操作履歴縮小画面による監視画面の操作方法を提供することを目的とする。【解決手段】  監視装置であって、演算処理手段２は、選択操作された監視画面の操作履歴を管理する監視画面選択操作履歴管理手段２３と、選択操作された監視画面に基づき記憶手段３から表示させる監視画面情報を抽出処理する監視画面情報処理手段２４と、監視画面４２０の縮小画面４３０を選択操作された履歴順に記憶する監視画面縮小処理手段２５と、監視画面情報出力と履歴順に記憶された操作履歴縮小画面出力とを表示装置４の表示画面に所定のフォーマットで分割表示させる画面表示処理手段２６とを備え、操作履歴縮小画面４３０を選択操作して監視画面４２０を再表示させことを特徴とする。【選択図】  図１
2006163468.tif 000002
【特許請求の範囲】
【請求項１】
監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、
前記演算処理手段は、前記表示手段で選択操作された前記監視画面の操作履歴を管理する監視画面選択操作履歴管理手段と、
前記監視画面選択操作履歴管理手段で選択操作された監視画面情報を前記憶手段から抽出処理する監視画面情報処理手段と、
前記監視画面選択操作履歴管理手段で選択操作された監視画面情報を縮小した縮小画面情報を選択操作された履歴順に記憶する監視画面縮小処理手段と、
前記監視画面情報処理手段の監視画面情報出力と前記監視画面縮小処理手段の縮小画面情報を履歴順に記憶した操作履歴縮小画面情報出力とを前記表示手段の表示画面に所定のフォーマットで分割表示させる画面表示処理手段とを備え、
前記操作履歴縮小画面情報出力の操作履歴縮小画面を選択操作して前記監視画面を再表示させるようにしたことを特徴とする請求項１に記載の監視装置。
【請求項２】
前記表示手段の監視画面には、前記監視画面、前記操作履歴縮小画面、及び更新アイコンを備え、
前記操作履歴縮小画面の表示領域を超える古い履歴画面は、前記更新アイコンを操作して再表示させるようにしたことを特徴とする請求項１に記載の監視装置。
【請求項３】
前記監視画面縮小処理手段は、選択操作された監視画面を一意的に特定する画面ＩＤを付随させ、当該縮小画面のデータとこの画面ＩＤとを対応付けてキュー構造形式で記憶させるとともに、前記表示手段から選択操作済みの監視画面の表示要求があったとき、履歴順に並べて再出力させるようにしたことを特徴とする請求項１に記載の監視装置。
【請求項４】
前記監視画面縮小処理手段は、監視画面情報の縮小サイズを２種備え、一方は前記操作履歴縮小画面情報として記憶し、他方は前記操作履歴縮小画面より大きな拡大画面情報として記憶させ、前記表示手段の縮小画面からその拡大画面の表示要求があったとき、拡大画面情報を出力させるようにしたことを特徴とする請求項１に記載の監視装置。
【請求項５】
監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、
前記演算処理手段は、前記表示手段で選択操作された前記監視画面の操作履歴を管理する監視画面選択操作履歴管理手段と、
前記監視画面選択操作履歴管理手段で選択操作された監視画面情報を前記憶手段から抽出処理する監視画面情報処理手段と、
前記監視画面選択操作履歴管理手段で選択操作された監視画面情報を縮小した縮小画面情報を選択操作された履歴順に記憶する監視画面縮小処理手段と、
前記監視画面情報処理手段の監視画面情報出力を前記表示手段の監視画面に所定のフォーマットで表示させる画面表示処理手段とを
備え、
前記表示手段は、前記監視画面を表示させる表示部と前記監視画面縮小処理手段の出力を履歴順に表示させる縮小画面選択操作部とを備え、
前記縮小画面選択操作部の操作履歴縮小画面を選択操作して、前記監視画面を再表示させるようにしたことを特徴とする監視装置。
【請求項６】
監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、
前記演算処理手段は、前記表示手段で選択操作された前記監視画面の操作履歴を管理する監視画面選択操作履歴管理手段と、
前記監視画面選択操作履歴管理手段で選択操作された監視画面情報に基づき前記記憶手段から監視画面情報およびその選択操作された履歴順に縮小画面情報を抽出処理する監視画面情報処理手段と、
前記監視画面情報処理手段の出力から監視画面と操作履歴縮小画面とを前記表示手段の表示画面に所定のフォーマットで分割表示させる画面表示処理手段とを
備え、
前記操作履歴縮小画面を選択操作して前記監視画面を再表示させるようにしたことを特徴とする監視装置。
【請求項７】
監視システムの監視画面情報を選択処理して監視画面に表示し、監視システム及びその監視システムを構成する装置やプラント機器の状態を監視する監視装置の監視画面の表示方法であって、
監視画面を選択操作し、この監視画面を操作履歴順に一意的に特定するＩＤ番号を付して記憶するステップと、
前記監視画面の監視画面情報を予め記憶された記憶手段から抽出処理するステップと、
抽出処理された前記監視画面情報を縮小された操作履歴縮小画面面情報として選択操作された履歴順に記憶させるステップと、
前記監視画面情報と前記操作履歴縮小画面面情報とから、その監視画面及び操作履歴縮小画面とを分割表示させるステップとからなり、
前記操作履歴縮小画面を選択操作して、前記監視画面を再表示させるようにしたことを特徴とする操作履歴縮小画面による監視画面の表示方法。
【発明の詳細な説明】
【技術分野】
【０００１】
本発明は、監視システムの監視装置及びその監視画面の表示方法に係り、表示された監視画面の履歴から監視画面を再表示させる監視装置、及び操作履歴縮小画面による監視画面の再表示方法に関する。
【背景技術】
【０００２】
プラント監視装置においては、従来、操作員が必要な監視画面を表示する方法として、２通りの方法が用いられている。
【０００３】
１つは、予め設定されている監視画面のメニュー画面から画面の名称を選択して画面を表示する方法であり、他の１つは、監視画面上の特定領域に対して選択操作を行い、その領域に関連付けられた監視画面を表示する方法である。
【０００４】
これらの監視画面はいずれも階層構造になっており、目的とする監視画面に表示を切り替えるには、ツリー構造の操作コマンドの実行して、上位層の画面から下位層の画面に順次切り替えていく(例えば、特許文献１参照。）。
【０００５】
この切り替え方式は、ＣＲＴディスプレイ装置の表示画面をＣＲＴオペレ−シヨン欄と、各種図形・グラフ・ガイダンス表示画面とに分けておく。
【０００６】
そしてＣＲＴオペレ−シヨン欄内のコマンドに戻りコマンドと進みコマンドを設け、最上位置の表示画面からコマンドを順次選択して下位層の表示画面に達する際に操作の履歴を記憶しておき、戻りコマンドの指示がある度に操作の履歴を参照して表示画面を順次上位層の表示画面に切り換え、進みコマンドの指示がある度に再び操作の履歴を参照して表示画面を順次下位層の表示画面に切り換えている。
【０００７】
これにより現在位置までのコマンド選択過程並びに表示画面が瞬時に参照され、画面体系即ちコマンド体系における現在位置が迅速に確認できるとことが開示されている。
【０００８】
また、他の表示画面の切り替え方式としては、プロセスフロー図のグラフィックス表示画面等の上のある特定領域に対して選択操作を行って、その領域に関連付けられているメニュー画面を表示する方法がある（例えば、特許文献２参照。）。
【０００９】
この方法では、メニュー画面の一覧表示内の各項目に対応付けられているタグと表示対象画面(名称)を一覧表として予め関連付けておき、タグをキーとして表示対象の画面を呼び出すことにより、操作員への迅速な情報提供を可能とする監視制御装置が開示されている。
【特許文献１】特開平４−１２８７８７号公報（第１頁、図１）
【特許文献２】特開２００２−１８２７３９号公報（第１頁、図１）
【発明の開示】
【発明が解決しようとする課題】
【００１０】
監視システムにおいては、一連の監視画面の選択操作において複数回異なる監視画面に切り替える操作を伴うことがあり、緊急時には以前表示した画面を緊急に再表示させることが必要になる場合がある。
【００１１】
しかしながら、特許文献１に示された表示画面の切り替え方式においては、対象とする画面を緊急に再表示させようとする場合にも、階層構造のツリーの各層を「戻る」「進む」コマンドを順次操作して目的とする画面にたどり着くので、目的とする画面の表示までに時間がかかる問題がある。
【００１２】
即ち、前記のような「戻る」ボタンを要する画面切り替え方式の再表示では、所望の画面が数回前に表示した過去の画面を再表示させる場合、再表示するために複数回の操作が必要となってしまったり、所望の画面を表示するために、何回「戻る」ボタンを押せばよいのかがわからなくなったりするため、目的とする監視画面をとおりすぎてしまうこともあり、表示するまでに時間がかかる。
【００１３】
また、特許文献２に示す方法においては、必ず、タグ（番号）と関連付けられる監視画面一覧表を表示する操作を行い監視画面一覧表の表示から対象とする画面選択操作するので、操作時間がかかるのみならず、画面名称が表示される画面を的確に表現していない場合には間違った画面を選択してしまう可能性もある。
【００１４】
そのため、緊急を要する状況下では、目的とする監視画面を表示させるまでに時間を要し迅速な画面表示が行えないという問題があった。
【００１５】
このような従来の監視画面の選択操作はメニュー画面を展開させながら、対象の機器に関連する過去の表示画面を操作者の記憶と判断によって探し出して表示する方法なので、作業量が多く、操作者の間違いも伴うため目的とする監視画面を表示させるまでに時間がかかるため、迅速な画面表示が行えないという問題があった。
【００１６】
本発明は、上記問題点を解決するためになされたものであり、操作者が所望の監視画面を容易に素早く再表示することができる監視装置、及び操作履歴縮小画面による監視画面の操作方法を提供することを目的とする。
【課題を解決するための手段】
【００１７】
上記目的を達成するために、本発明に係る請求項１の監視装置は、監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、前記演算処理手段は、前記表示手段で選択操作された前記監視画面の操作履歴を管理する監視画面選択操作履歴管理手段と、前記監視画面選択操作履歴管理手段で選択操作された監視画面情報を前記憶手段から抽出処理する監視画面情報処理手段と、前記監視画面選択操作履歴管理手段で選択操作された監視画面情報を縮小した縮小画面情報を選択操作された履歴順に記憶する監視画面縮小処理手段と、前記監視画面情報処理手段の監視画面情報出力と前記監視画面縮小処理手段の縮小画面情報を履歴順に記憶した操作履歴縮小画面情報出力とを前記表示手段の表示画面に所定のフォーマットで分割表示させる画面表示処理手段とを備え、前記操作履歴縮小画面情報出力の操作履歴縮小画面を選択操作して前記監視画面を再表示させるようにしたことを特徴とする。
【００１８】
上記目的を達成するために、本発明に係る請求項４の監視装置は、監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、前記演算処理手段は、前記表示手段で選択操作された前記監視画面の操作履歴を管理する監視画面選択操作履歴管理手段と、前記監視画面選択操作履歴管理手段で選択操作された監視画面情報を前記憶手段から抽出処理する監視画面情報処理手段と、前記監視画面選択操作履歴管理手段で選択操作された監視画面情報を縮小した縮小画面情報を選択操作された履歴順に記憶する監視画面縮小処理手段と、前記監視画面情報処理手段の監視画面情報出力を前記表示手段の監視画面に所定のフォーマットで表示させる画面表示処理手段とを備え、前記表示手段は、前記監視画面を表示させる表示部と前記監視画面縮小処理手段の出力を履歴順に表示させる縮小画面選択操作部とを備え、前記縮小画面選択操作部の操作履歴縮小画面を選択操作して、前記監視画面を再表示させるようにしたことを特徴とする。
【００１９】
上記目的を達成するために、本発明に係る請求項５の監視装置は、監視システムの監視画面情報をデータベースとして記憶させ、記憶させたこの監視画面情報データベースから表示させる監視画面情報を選択処理する演算処理手段と、前記監視画面情報を記憶する記憶手段と、前記演算処理手段に表示させる監視画面の選択信号を入力し、この監視画面を表示させる表示手段とを備え、前記演算処理手段は、前記表示手段で選択操作された前記監視画面の操作履歴を管理する監視画面選択操作履歴管理手段と、前記監視画面選択操作履歴管理手段で選択操作された監視画面情報に基づき前記記憶手段から監視画面情報およびその選択操作された履歴順に縮小画面情報を抽出処理する監視画面情報処理手段と、前記監視画面情報処理手段の出力から監視画面と操作履歴縮小画面とを前記表示手段の表示画面に所定のフォーマットで分割表示させる画面表示処理手段とを備え、前記操作履歴縮小画面を選択操作して前記監視画面を再表示させるようにしたことを特徴とする。
【００２０】
上記目的を達成するために、本発明に係る請求項６の操作履歴縮小画面による監視画面の表示方法は、監視システムの監視画面情報を選択処理して監視画面に表示し、監視システム及びその監視システムを構成する装置やプラント機器の状態を監視する監視装置の監視画面の表示方法であって、監視画面を選択操作し、この監視画面を操作履歴順に一意的に特定するＩＤ番号を付して記憶するステップと、前記監視画面の監視画面情報を予め記憶された記憶手段から抽出処理するステップと、抽出処理された前記監視画面情報を縮小された操作履歴縮小画面面情報として選択操作された履歴順に記憶させるステップと、前記監視画面情報と前記操作履歴縮小画面面情報とから、その監視画面及び操作履歴縮小画面とを分割表示させるステップとからなり、前記操作履歴縮小画面を選択操作して、前記監視画面を再表示させるようにしたことを特徴とする。
【発明の効果】
【００２１】
本発明によれば、選択操作して表示された監視画面の縮小画面を操作履歴順にアイコンとして表示させて、再表示させる場合にこの縮小画面を選択操作し再表示させるようにし、監視画面の操作者が、縮小された監視画面の画像から目的とする監視画面を目視識別しするようにしたので、目的とする監視画面が容易に、素早く判断でき、この縮小画面を選択操作することで目的とする監視画面が瞬時に再表示される監視装置、操作履歴縮小画面による監視画面の表示方法を提供することができる。
【発明を実施するための最良の形態】
【００２２】
以下、図面を参照して、本発明の実施例を説明する。
【実施例１】
【００２３】
以下、本発明による実施例１について図１乃至図４を参照して説明する。図１は、例えば、プラントの監視装置１の構成図とその機能ブロック図である。
【００２４】
監視装置１は、プラント機器７及びこれを制御する制御装置８から送信される監視情報を、ネットワーク９を介して受信し、監視画面情報として処理する演算処理部２、演算処理部２で処理された監視情報から監視画面情報を収集し、監視画面情報データベース３００として記憶する記憶装置３、及び記憶された監視画像情報データベース３００から所定の監視画面４２０を選択表示する表示装置４とから構成される。
【００２５】
また、演算処理部２は、ＣＰＵを搭載し、演算処理部２に入力される各種の監視情報について、詳細を後述する各種機能の演算を実行する演算処理装置である。この演算処理部２で処理された各種の監視画像情報を記憶する憶装置３は、ハードディスク装置等の比較的記憶容量の大きなもので構成される。
【００２６】
また、表示装置４は、監視画面４２０を表示させる表示部４ａと、表示部４ａに表示させる監視装置１を操作するための命令やデータを演算処理部２に入力するキーボード４ｂと、表示部４ａに表示される監視画面４２０の選択位置情報を入力するマウス４ｃとからなる。
【００２７】
この表示装置４の、表示部４ａ、キーボード４ｂ、及びマウス４ｃを使用して所定の命令やデータを形成して演算処理部２へ入力され、表示部４ａに表示された監視画面４２０が選択操作される。
【００２８】
次に、演算処理部２は、表示装置４から入力された監視画面４２０の選択信号、及び所定の命令やデータを受信して、後述する画面選択操作履歴管理手段２３に送信する画面入力操作処理手段２１、ネットワーク９を介して送受信されるプラント機器７及び制御装置８との入出力信号を処理する入出力処理手段２２、画面操作入力処理手段２１から入力された監視画面４２０の選択操作の履歴を管理する画面ＩＤを発行する画面操作履歴管理手段２３、発行された画面ＩＤ履歴に基づいて表示する監視画面情報を記憶装置３から抽出して処理する監視画面情報処理手段２４、監視画面情報処理手段２４で処理された監視画面情報を縮小して画面ＩＤとともに縮小画面情報を記憶する監視画面縮小処理手段２５、及び監視画面情報処理手段２４で処理された監視画面情報と縮小画面情報を所定のフォーマットに整形して表示部４ａに分割表示させる映像信号を表示装置４に送信する画面表示処理手段２６とから構成される。
【００２９】
画面ＩＤは、予めこの監視装置１で設定される監視画面を識別する画面番号と表示装置４で選択操作される履歴番号とから生成され、一意的に選択された監視画面４２０が特定できるようにしておく。
【００３０】
また、監視画面情報は、演算処理装置２に入力される各種の監視情報から予め記憶装置３に監視画像情報データベース３００として記憶しておく場合もあるが、入出力手段２２からリアルタイムで入力される監視情報を処理して監視画面情報を合成処理して形成するように構成することもできる。
【００３１】
また、監視画面縮小処理手段２５での縮小された縮小画面情報は、監視画面縮小処理手段２４の出力から生成する以外に、画面表示処理手段２６の映像出力信号を圧縮処理して記憶するように構成することも可能である。
【００３２】
次に、図２を参照して、表示部４ａに表示される表示画面の表示例を説明する。表示部４ａに表示される画面表示領域４１は、監視装置１の主たる監視画面４２０の監視画面表示領域４２とこの監視画面４２０の縮小画面４３０を操作履歴順に整列して配置した操作履歴縮小画面表示領域４３とから構成される。
【００３３】
この操作履歴縮小画面表示領域４３は、通常、画面表示領域４１の下部におかれ、夫々の縮小画面４３０は、アイコン操作によって対応する監視画面４２０が表示されるように構成される。
【００３４】
操作履歴縮小画面表示領域４３は、表示部４ａの画面サイズから予め可能な表示数が設定される。しかしながら、監視装置１の監視画面数は、システムの構成によって多数の構成となり、しかも操作回数も多くなるので、操作履歴縮小画面表示領域４３を超える場合がある。
【００３５】
この場合、図２（ａ）に示すように縮小画面４３０の記憶容量は所定の操作回数分を予め確保しておき、操作履歴縮小画面表示領域４３を超えた縮小画面４３０を再表示させる更新アイコン４５０を操作して再表示させるように構成しておく。
【００３６】
また、縮小画面４３０の更新アイコンは、図２（ｂ）に示すように、縮小画面を左に移動するアイコン４５０ａと、右に移動するアイコン４５０ｂとの２つで構成し、操作履歴の新旧を左右の縮小画面４３０の位置と対応付けて操作するように構成することもできる。
【００３７】
また、この縮小画面４３０の表示サイズは、その監視画面４２０の種類が目視観察で一意的に識別できる程度に縮小したものとしておく。
【００３８】
次に、このような操作履歴縮小画面４３０を生成する監視画面縮小処理手段２５の記憶動作について図３を参照して説明する。図３はこの記憶動作の状態を示すもので、表示装置４で選択操作された選択信号に基づき、都度、画面選択履歴処理手段２３から選択操作された履歴とその監視画像が一意的に対応付けられた画面ＩＤが選択された縮小画面情報と対応付けて記憶される。
【００３９】
発行された画面ＩＤと対応する監視画面情報処理手段２４から出力された監視画面情報は、監視画面縮小処理手段２５で縮小画面４３０に縮小され、画面ＩＤと対応付けて所定の量が、キュー構造で記憶手段に記憶される。
【００４０】
すなわち、選択操作の回数がｎ個の記憶容量とする場合、選択操作されたｎ回目の縮小画面情報４３ｄｎが入力されると、古い縮小画面情報４３ｄ１−１は削除される。そして、次に、縮小画面情報４３ｄｎ＋１が選択操作されると縮小画面情報４３ｄ１が削除される、ＦＩＦＯ（ファーストイン、ファーストアウト）形式の構造で構成される。
【００４１】
記憶容量は、操作履歴縮小画面表示領域４３に表示される個数よりも多い、操作選択回数ｎの最大値から予め設定される。そして、更新アイコン４５０を操作して、操作履歴縮小画面表示領域４３を超える古い縮小画面４３０の表示も可能な構成としておく。
【００４２】
次に、このように構成された監視装置１の動作について、図４を参照して説明する。先ず、この監視装置１の監視画面が、表示装置４で選択操作され、画面操作入力処理手段２１で読み取られる（ｓ１）。
【００４３】
画面操作入力処理手段２１では、重複操作などの誤操作を除き、選択された監視画面情報に画面ＩＤを付して、監視画面情報処理手段２４及び監視画面縮小処理手段２５に画面ＩＤを送信する（ｓ２）。
【００４４】
送信された画面ＩＤから該当する監視画面情報を記憶装置３から抽出し、所定の処理をして、処理された監視画面情報を監視画面縮小処理手段２５と画面表示処理手段２６とに送信する（ｓ３）。
【００４５】
監視画面縮小処理手段２５では、処理された監視画面情報から縮小画面情報を作成し、画面ＩＤを付随させて、操作履歴縮小画面情報２５０として選択操作されたものを履歴順に所定数まで記憶させる。そして、操作履歴縮小画面表示領域４３に相当する数の縮小画面情報を画面表示処理手段２６に送信する（ｓ４）。
【００４６】
次に、画面表示処理手段２６では、監視画面情報処理手段２４から送信された監視画面情報及び監視画面縮小処理手段２５から送信された縮小画面情報から、監視画面(画像)４２０と縮小画面４３０として分割表示させる所定の映像信号を送信し表示部４ａで表示させる（ｓ５）。
【００４７】
監視画面４２０の選択操作回数が所定数を超える、すなわち操作履歴縮小画面表示領域４３を超えた場合には、ＦＩＦＯ処理で縮小画面４３０を表示させ、再表示させる場合には、更新アイコン４５０を選択操作して、操作履歴縮小画面表示領域４３を超えた縮小画面４３０を再表示させる。
【００４８】
また、操作履歴縮小画面表示領域４３に表示された縮小画面４３０の位置を指定し表示を選択することで、一意的に新しい該当する監視画面が再表示される。
【００４９】
以上述べた様に、多数の監視画面４２０を繰り返し表示させた場合であっても、既に表示させた監視画面４２０を再度選択して表示させたい場合には、その監視画面４２０をイメージできる操作履歴縮小画面４３０から目的とする縮小画面４３０の一つを選択して、一意的に該当する監視画面４２０を指定して表示させることができる。
【実施例２】
【００５０】
図５は、本発明の実施例２に係る監視装置１の構成図及び機能ブロック図で、図６は、その縮小画面４３０で識別が困難な場合に、その画像を拡大表示(ホップアップ)して識別を容易にするための拡大画面４４０の機能を説明する図である。
【００５１】
実施例２の各部について、図１に示す実施例１の各部と同一部分は同じ番号を付し、その説明を省略する。
【００５２】
この実施例２が実施例１と異なる点は、実施例１においては、操作履歴縮小画面４３０は所定の縮小サイズで表示させるものに代えて、図６に示すように操作履歴縮小画面４３０が識別困難な場合、例えば、縮小画像４３０ｂと他の操作履歴縮小画面４３０の縮小画像との識別が困難な場合、この縮小画像４３０をマウス４ｃで指定し、ダブルクリックしてホップアップさせ、識別可能な拡大された拡大画面４４０を表示させるようにした点にある。
【００５３】
操作回数を短縮するためには、このダブルクリック操作に替えて、マウス４ｃカーソルを縮小画面４３０に重ねることで、自動的にホップアップするようにしても良い。
【００５４】
このような構成とするためには、多数の監視画面４２０で識別が困難と思われる監視画面４２０について拡大画面４４０を監視画面縮小処理手段２５ａで２種類のサイズで縮小処理し、一方を縮小画面４３０、他方をその拡大画面４４０として操作履歴縮小、拡大画面情報２５０ａとして対応付けて予め記憶しておく。
【００５５】
このように構成することで、操作履歴縮小画面４３０で識別が困難な場合でも素早く選択操作をすることが可能となる。
【実施例３】
【００５６】
図７は、本発明の実施例３に係る監視装置１の構成図及び機能ブロック図で、図８は、その縮小画面選択操作部１４の構成を説明する概観図である。
【００５７】
実施例３の各部について、図１に示す実施例１の各部と同一部分は同じ番号を付し、その説明を省略する。
【００５８】
この実施例３が実施例１と異なる点は、実施例１においては、操作履歴縮小画面４３０を表示部４ａの監視画面４２０の下部に分割表示させたことに代えて、図８に示すように、キーボード４３ａ１と縮小画面表示部４３ａ２とを備えた縮小画面選択操作部１４を備え、この縮小画面表示部４３ａ２に縮小画面４３１ａ１乃至４３１ａｎを表示させるようにし点にある。
【００５９】
このような構成とするためには、縮小画面表示部４３ａ２を、液晶画面等を備えた構成としておき、監視画面縮小処理手段２５の出力信号を映像信号に変換して縮小画面表示部４３ａ２に送信して表示させるようにすれば良い。
【００６０】
または、画面表示処理手段２６の縮小画面の出力信号を、画面操作入出力処理手段２１ａを介して縮小画面表示部４３ａに送信するように構成することもできる。
【００６１】
このように操作履歴縮小画面４３０を表示部４ａから独立して表示させることで、操作履歴縮小画面４３０の表示エリアに影響されることなく、表示部４ａに表示される監視画面の表示エリアを大きくすることができる。
【実施例４】
【００６２】
図９は、本発明の実施例４に係る監視装置１の構成図及び機能ブロック図で、ある。
【００６３】
実施例４の各部について、図１に示す実施例１の各部と同一部分は同じ番号を付し、その説明を省略する。
【００６４】
この実施例４が実施例１と異なる点は、実施例１の縮小画面４３０を生成する監視画面縮小処理手段２５に代えて、縮小画面情報と監視画面情報とを監視画面情報処理手段２４ａで生成させるようにし、記憶装置３に画面ＩＤと対応付けて、監視画面情報縮小データベース３００ａとして記憶させるようにした点にある。
【００６５】
この場合、縮小画面情報を記憶装置３に記憶させることで、縮小画面情報が大量となった場合でも、システムの変更をすることなく、シンプルな監視装置１が構成できる。
【００６６】
以上説明した演算処理部２での機能の実現は、これらの機能を備えプログラムを予め記憶装置３等の外部記憶装置に記憶しておき、プログラム実行時に演算処理部２の図示しない主メモリにプログラムを記憶させ、演算処理装部２の図示しないＣＰＵで実行させることで実現される。
【００６７】
また、表示部４ａの監視画面の選択操作は、マウス４ｂによるアイコン操作として説明したが、表示部４ａをタッチスクリーンとして構成することも可能である。
【００６８】
本発明は、上述した実施例に何ら限定されるものではなく、監視画面の縮小画像をアイコン化して操作する機能を備えた、ハードウェア及びソフトウェアを備えた装置であれば良く、本発明の主旨を逸脱しない範囲で種々変形して実施することができる。
【図面の簡単な説明】
【００６９】
【図１】本発明による監視装置の実施例１の構成図、及び機能ブロック図。
【図２】本発明による監視装置の実施例１の監視画面の表示例。
【図３】縮小画面画像データの制御方法法。
【図４】本発明による監視画像の動作フロー図。
【図５】本発明による監視装置の実施例２の構成図、及び機能ブロック図。
【図６】本発明による監視装置の縮小画面を拡大する動作説明図。
【図７】本発明による監視装置の実施例３の構成図、及び機能ブロック図。
【図８】本発明による監視装置の実施例３の縮小画面選択操作部の構成図。
【図９】本発明による監視装置の実施例４の構成図、及び機能ブロック図。
【符号の説明】
【００７０】
１  監視装置
２  演算処理部
３  外部記憶装置
４  表示装置
４ａ  表示部
４ｂ  キーボード
４ｃ  マウス
７  プラント機器
８  制御装置
９  ネットワーク
１４  縮小画面選択操作部
２１  画面操作入力処理手段
２２  入出力処理手段
２３  画面操作履歴管理手段
２４、２４ａ  監視画面情報処理手段
２５  監視画面縮小処理手段
２６  画面表示処理手段
４１  画面表示領域
４２  監視画面表示領域
４３  操作履歴縮小画面表示領域
４３ａ１  キーボード部
４３ａ２  縮小画面表示部
４３ｄ１〜４３ｄ  画面ＩＤ及び縮小画面情報
２５０  操作履歴縮小画面情報
２５０ａ  操作履歴縮小、拡大画面情報
３００、３００ａ  監視画面情報データベース
４２０  監視画面
４３０（４３０ａ、４３０ｂ、４３０ｃ、）  操作履歴縮小画面(縮小画面)
４３１ａ１、４３１ａ２、〜４３１ａｎ）  操作履歴縮小画面(縮小画面)
４４０  操作履歴拡大画面
４５０  更新アイコン
【図１】
2006163468.tif 000003
【図２】
2006163468.tif 000004
【図３】
2006163468.tif 000005
【図４】
2006163468.tif 000006
【図５】
2006163468.tif 000007
【図６】
2006163468.tif 000008
【図７】
2006163468.tif 000009
【図８】
2006163468.tif 000010
【図９】
2006163468.tif 000011